(57)【要約】      （修正有）【課題】食卓上で魚介類，肉類，野菜類等の食材を，加熱調理する固形燃料調理器を提供する。【解決手段】上面に火炎通過孔１０，側面に空気流通孔１１を有す筒状体（燃焼抑制用フード９）で固形燃料を被って燃やすので，固形燃料の火持ちが良く，交換の手間も要らず，長時間の会食を十分に楽しむことが出来る。特に，遠赤外線発生石１を使用する石焼料理には最適である。【選択図】図１
0003119642.tif 000002
【実用新案登録請求の範囲】
【請求項１】
上面に火炎通過孔，側面に空気流通孔を有す筒状体で被った固形燃料で，食材を加熱調理することを特徴とする固形燃料調理器
【請求項２】
上記固形燃料の上方に，熱分散板に乗せた遠赤外線発生石を載置し，同遠赤外線発生石の上で食材を加熱調理することを特徴とする固形燃料調理器
【考案の詳細な説明】
【技術分野】
【０００１】  本考案は，卓上で魚介類，肉類，野菜類等の食材を，加熱調理するための固形燃料調理器に関する。
【考案の開示】
【考案が解決しようとする課題】
【０００２】  従来の卓上コンロとしては，特開２００１−０４６２３５「卓上型調理装置」のようなものがあるが，アルコール燃料等の固形燃料の火持ちが悪く，長時間の会食には不便であった。特に，遠赤外線発生石（遠赤外線を発生する石）を使用する石焼料理では，もっと固形燃料の火持ちを良くする必要があった。
【課題を解決するための手段】
【０００３】  本考案の請求項１に係る考案は，上面に火炎通過孔，側面に空気流通孔を有す筒状体で被った固形燃料で，食材を加熱調理するものである。【０００４】  本考案の請求項２に係る考案は，上記固形燃料の上方に，熱分散板に乗せた遠赤外線発生石を載置し，同遠赤外線発生石の上で食材を加熱調理するものである。
【考案の効果】
【０００５】  本考案の請求項１に係る考案では，上面に火炎通過孔，側面に空気流通孔を有す筒状体で固形燃料を被って燃やすので，固形燃料の火持ちが良く，交換の手間も要らず，長時間の会食を十分に楽しむことが出来る。【０００６】  本考案の請求項２に係る考案では，上記固形燃料の上方に，熱分散板に乗せた遠赤外線発生石を載置し，その上で食材を加熱調理するので，安価・手軽に遠赤外線効果を利用した石焼料理を楽しむことが出来る。
【考案を実施するための最良の形態】
【実施例】
【０００７】  図１は石焼料理を行う場合の実施例の縦断面図，図２は熱分散板の斜視図，図３は燃焼抑制フードの斜視図である。１は遠赤外線発生石で，図２に示す熱分散板２（金網や有孔金属板）に乗せて，ミニコンロ３の外筒４の上端に載置されている。外筒４は着火棒挿入孔（兼空気流通孔）５を備え，内部にアルコール燃料等の固形燃料６がセットされている。７は火炎，８は受け皿である。アルコール燃料６は，図３に示す燃焼抑制用のフード９で覆われている。フード９は，筒状体（本実施例では円筒状）を成し，その上面に火炎の通過孔１０を，側面に複数の空気流通孔１１を備えている。【０００８】  図示しない着火棒でアルコール燃料６に点火し，その火炎７で熱分散板２上の遠赤外線発生石１を加熱する。遠赤外線発生石１が適当に加熱されたら，魚介類，肉類，野菜類等の食材をその上で焼いて，石焼料理を楽しむことが出来る。この場合，熱分散板２により熱が分散される為，集中加熱による遠赤外線発生石１のひび割れや破損が防止される。遠赤外線発生石１は，繰り返し使用も可能であるが，必要に応じて，洗って使うことも，新しいものに交換することも出来る。このようにして，安価・手軽に遠赤外線効果を利用した美味しい石焼料理を楽しむことが出来る。この場合，適当な大きさの空気流通孔１１を備えた燃焼抑制用フード９により，空気の流通が適当に制限されるため，アルコール燃料６の火持ちが非常に良くなる。通常燃焼時間２０分と記載・販売されているアルコール燃料でも，一度開封すると１０分以下で燃え尽きることが多いが，燃焼抑制用フード９を用いると１時間以上も燃え続けるので，長時間，アルコール燃料６を交換することなく会食を楽しむことが出来る。本実施例では，石焼料理に使用する例を示したが，釜めし，鍋焼きうどん，水炊き等，種々の食卓料理に利用出来ることは言うまでもない。
【図面の簡単な説明】
【０００９】
【図１】石焼料理を行う場合の実施例の縦断面図
【図２】熱分散板の斜視図
【図３】燃焼抑制用フードの斜視図
【符号の説明】
【００１０】  １・・・遠赤外線発生石
２・・・熱分散板
２ａ・・・金網
２ｂ・・・金属枠
３・・・ミニコンロ
４・・・外筒
５・・・着火棒挿入孔（兼空気流通孔）
６・・・アルコール燃料等の固形燃料
７・・・固形燃料の火炎
８・・・固形燃料の受け皿
９・・・燃焼抑制用のフード
１０・・・火炎の通過孔
１１・・・空気流通孔
【図１】
0003119642.tif 000003
【図２】
0003119642.tif 000004
【図３】
0003119642.tif 000005
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
上端が開口し，側面に着火棒挿入孔兼空気流通孔を有する外筒の底部に，固形燃料を配置したミニコンロにおいて，上記固形燃料を，上面に火炎通過孔，側面に空気流通孔を有する筒状体から成る燃焼抑制用フードで覆ったことを特徴とする固形燃料調理器
【請求項２】
上記外筒上端の開口を覆うように，遠赤外線発生石を載置したことを特徴とする請求項１記載の固形燃料調理器
【手続補正書】
【提出日】平成17年11月5日(2005.11.5)
【手続補正１】
【補正対象書類名】実用新案登録請求の範囲
【補正対象項目名】全文
【補正方法】変更
【補正の内容】
【実用新案登録請求の範囲】
【請求項１】
上端が開口し、側面に着火棒挿入孔兼空気流通孔を有する外筒の底部に固形燃料を配置した固形燃料調理器において、上記固形燃料を、上面に火炎通過孔側面に空気通過孔を有する筒常体から成る燃焼抑制用フードで覆ったことを特徴とする固形燃料調理器
【請求項２】
上記外筒上端の開口を覆うように，遠赤外線発生石を載置したことを特徴とする請求項１記載の固形燃料調理器
【手続補正２】
【補正対象書類名】明細書
【補正対象項目名】全文
【補正方法】変更
【補正の内容】
【考案の詳細な説明】
【技術分野】
【０００１】  本考案は，卓上で魚介類，肉類，野菜類等の食材を，加熱調理するための固形燃料調理器に関する。
【考案の開示】
【考案が解決しようとする課題】
【０００２】  従来の固形燃料調理器としては，特開２００１−０４６２３５「卓上型調理装置」のようなものがあるが，アルコール燃料等の固形燃料の火持ちが悪く，長時間の会食には不便であった。特に，遠赤外線発生石（遠赤外線を発生する石）を使用する石焼料理では，もっと固形燃料の火持ちを良くする必要があった。
【課題を解決するための手段】
【０００３】  本考案の請求項１に係る考案は，上面に火炎通過孔，側面に空気流通孔を有す筒状体で被った固形燃料で，食材を加熱調理するものである。【０００４】  本考案の請求項２に係る考案は，上記固形燃料の上方に，熱分散板に乗せた遠赤外線発生石を載置し，同遠赤外線発生石の上で食材を加熱調理するものである。
【考案の効果】
【０００５】  本考案の請求項１に係る考案では，上面に火炎通過孔，側面に空気流通孔を有す筒状体で固形燃料を被って燃やすので，固形燃料の火持ちが良く，交換の手間も要らず，長時間の会食を十分に楽しむことが出来る。【０００６】  本考案の請求項２に係る考案では，上記固形燃料の上方に，熱分散板に乗せた遠赤外線発生石を載置し，その上で食材を加熱調理するので，安価・手軽に遠赤外線効果を利用した石焼料理を楽しむことが出来る。
【考案を実施するための最良の形態】
【実施例】
【０００７】  図１は石焼料理を行う場合の実施例の縦断面図，図２は熱分散板の斜視図，図３は燃焼抑制フードの斜視図である。１は遠赤外線発生石で，図２に示す熱分散板２（金網や有孔金属板）に乗せて，固形燃料調理器３の外筒４の上端に載置されている。外筒４は着火棒挿入孔（兼空気流通孔）５を備え，内部にアルコール燃料等の固形燃料６がセットされている。７は火炎，８は受け皿である。アルコール燃料６は，図３に示す燃焼抑制用のフード９で覆われている。フード９は，筒状体（本実施例では円筒状）を成し，その上面に火炎の通過孔１０を，側面に複数の空気流通孔１１を備えている。【０００８】  図示しない着火棒でアルコール燃料６に点火し，その火炎７で熱分散板２上の遠赤外線発生石１を加熱する。遠赤外線発生石１が適当に加熱されたら，魚介類，肉類，野菜類等の食材をその上で焼いて，石焼料理を楽しむことが出来る。この場合，熱分散板２により熱が分散される為，集中加熱による遠赤外線発生石１のひび割れや破損が防止される。遠赤外線発生石１は，繰り返し使用も可能であるが，必要に応じて，洗って使うことも，新しいものに交換することも出来る。このようにして，安価・手軽に遠赤外線効果を利用した美味しい石焼料理を楽しむことが出来る。この場合，適当な大きさの空気流通孔１１を備えた燃焼抑制用フード９により，空気の流通が適当に制限されるため，アルコール燃料６の火持ちが非常に良くなる。通常燃焼時間２０分と記載・販売されているアルコール燃料でも，一度開封すると１０分以下で燃え尽きることが多いが，燃焼抑制用フード９を用いると１時間以上も燃え続けるので，長時間，アルコール燃料６を交換することなく会食を楽しむことが出来る。本実施例では，石焼料理に使用する例を示したが，釜めし，鍋焼きうどん，水炊き等，種々の食卓料理に利用出来ることは言うまでもない。
【図面の簡単な説明】
【０００９】
【図１】石焼料理を行う場合の実施例の縦断面図
【図２】熱分散板の斜視図
【図３】燃焼抑制フードの斜視図
【符号の説明】
【００１０】  １・・・遠赤外線発生石
２・・・熱分散板
２ａ・・金網
２ｂ・・金属枠
３・・・固形燃料調理器
４・・・外筒
５・・・着火棒挿入孔（兼空気流通孔）
６・・・アルコール燃料等の固形燃料
７・・・固形燃料の火炎
８・・・固形燃料の受け皿
９・・・燃焼抑制用のフード
１０・・・火炎の通過孔
１１・・・空気流通孔